(57)【特許請求の範囲】
【請求項１】
循環型穀粒乾燥機の貯留室を構成するパネルの上下にそれぞれ上桟、下桟を設け、該桟に設けた穴にスロワ取付用フレームに設けたピンを係止させることにより循環型穀粒乾燥機に装着自在な構成としたスロワにおいて、前記スロワ取付用フレームを上下に２分割とし、その上側フレームを取っ手に交換し、下側フレームに台座を取付けることにより地面据え置きで使用できるようにしたことを特徴とするスロワ。
【請求項２】
循環型穀粒乾燥機の貯留室を構成するパネルの上下にそれぞれ上桟、下桟を設け、該桟に設けた穴にスロワ取付用フレームに設けたピンを係止させることにより循環型穀粒乾燥機に装着自在な構成としたスロワにおいて、前記スロワ取付用フレームを上下に２分割とし、その上側フレームと下側フレームの間にスペーサを介在させることにより、スロワを循環型穀粒乾燥機の機体より前方に設置できるようにしたことを特徴とするスロワ。
【請求項３】
スロワケース両側部にスロワ取付用フレームを固定し、下面はモータ取付面となしたスロワにおいて、スロワケースの伝動カバーを概ねスロワケース下面で分割可能な構成としたことを特徴とするスロワ。
【発明の詳細な説明】
【０００１】
【発明の属する技術分野】
本発明は、循環型穀粒乾燥機に着脱自在なスロワに関するものである。
【０００２】
【従来の技術】
機内を循環させながら熱風を供給して穀粒の乾燥を行う循環型の穀粒乾燥機は従来からよく知られている。
また、循環型穀粒乾燥機で排出時にスロワを用いて排出を行う構成のもので、このスロワを乾燥機コントローラで制御可能としたものもよく知られている。
ところで、従来のスロワは、スロワ取付用フレームに設けたピン（フック）で穀粒乾燥機に係止させるタイプのものであり、もしこれを地面据え置きで使用するとすれば、乾燥機から一旦取り外してそのまま地面に載せることになるが、不安定で危険であり、取っ手もないので不便である。
また、従来のスロワは、穀粒乾燥機に対して取付位置を少し変えるというようなことが出来なかったため、穀粒乾燥機を設置する場所の状況によっては納まりが悪いなどの不都合が生じていた。
さらに、従来のスロワは、穀粒乾燥機に装着したままでは駆動部のベルト点検、交換が容易に出来ない構造になっていた。
【０００３】
【発明が解決しようとする課題】
本発明は、上記従来の問題を解決するためになされたものであって、その目的とするところは、係止型から据え置き型に変更して使用できるスロワを提供することにある。
また、他の目的は、穀粒乾燥機の機体より前方にも設置可能なスロワを提供することにある。
また、その他の目的は、穀粒乾燥機に装着したままでも駆動部のベルト点検、交換が容易に出来るスロアを提供することにある。
【０００４】
【課題を解決するための手段】
かかる目的を達成するために、本発明は以下のように構成している。
請求項１の発明は、循環型穀粒乾燥機の貯留室を構成するパネルの上下にそれぞれ上桟、下桟を設け、該桟に設けた穴にスロワ取付用フレームに設けたピンを係止させることにより循環型穀粒乾燥機に装着自在な構成としたスロワにおいて、前記スロワ取付用フレームを上下に２分割とし、その上側フレームを取っ手に交換し、下側フレームに台座を取付けることにより地面据え置きで使用できるようにしたことを特徴とする。
また、請求項２の発明は、循環型穀粒乾燥機の貯留室を構成するパネルの上下にそれぞれ上桟、下桟を設け、該桟に設けた穴にスロワ取付用フレームに設けたピンを係止させることにより循環型穀粒乾燥機に装着自在な構成としたスロワにおいて、前記スロワ取付用フレームを上下に２分割とし、その上側フレームと下側フレームの間にスペーサを介在させることにより、スロワを循環型穀粒乾燥機の機体より前方に設置できるようにしたことを特徴とする。
また、請求項３の発明は、スロワケース両側部にスロワ取付用フレームを固定し、下面はモータ取付面となしたスロワにおいて、スロワケースの伝動カバーを概ねスロワケース下面で分割可能な構成としたことを特徴とする。
【０００５】
【発明の実施の形態】
以下に、図面を参照して本発明の実施の形態について説明する。
図１及び図２は穀粒乾燥機の一例を示すもので、図１はその外観正面図、図２はその外観側面図である。
ここに示した穀粒乾燥機１は、穀粒を乾燥する循環型の乾燥機であり、全体は箱型形状を成し、機体の内部には、貯留室５０、乾燥室、排風室、送風室等を有している。さらに、穀粒の水分を検出する水分計や熱風を発生するバーナ等を装着している。
【０００６】
穀粒乾燥機１は、このような構成において、バーナ熱風を乾燥室に通気しつつ、機体長手方向に回転自在に配置されたロータリバルブで穀粒を一定量づつ繰り出し、その繰り出された穀粒が移送され、集穀された穀粒は揚穀エレベータ３で上方に移送されて貯留室内に供給されるという循環をしながら穀粒の乾燥を行なうようにした循環式の穀粒乾燥機である。
そして、この穀粒乾燥機１には、貯留室前部にスロワ２を装着し、この乾燥機内部の穀粒を乾燥機の上方へ搬送出来るようにしている。
【０００７】
図３はスロワ装着時の側面図である。
スロワ２は、スロワケース５の両側部に左右のスロワ取付用フレーム６、７を固定し、スロワケース５の下面はモータ１０の取付面としている。そして、穀粒乾燥機１の貯留室を構成するパネルの上下に設置した上桟５０ａ、下桟５０ｂにそれぞれ設けた穴５１、５２に、上記スロワ取付用フレーム６、７に取り付けたピン（フック）９、９を係止させることにより、穀粒乾燥機１に装着自在な構成としている。
【０００８】
ところで、上記スロワ取付用フレーム６、７はそれぞれ上下に２分割した構成になっており、図３に示すような係止型で使用する場合は、その上側フレーム６Ａ、７Ａと下側フレーム６Ｂ、７Ｂはボルト８止めにより連結しているが、ボルト８を外せば上側フレーム６Ａ、７Ａと下側フレーム６Ｂ、７Ｂを分離する事が出来る。そして、このような２分割可能な構成であれば、その上側フレーム６Ａ、７Ａを取っ手１１、１１に交換し、下側フレーム６Ｂ、７Ｂに台座１２を取付けることにより、スロワ２を地面据え置きで使用することができる。図４及び図５はそれぞれ上記のごとく据え置き型で使用した状態の正面図及び側断面図である。
このようにスロワ２を係止型から地面据え置き型に容易に変更することが出来、しかも地面据え置きにしたとき台座１２を取り付けて安定した状態で使用する事が出来る。
【０００９】
次に、スロワ２を前方に延設調節可能とする構成について説明する。
図６は前述の図３と同様、スロワ２を穀粒乾燥機１の貯留室前部に係止させた状態を示すもので、（ａ）は平面図、（ｂ）は側面断面図である。前述したように、前記スロワ取付用フレーム６、７は上下に２分割可能な構成となっている。そして、上側フレーム６Ａ、７Ａと下側フレーム６Ｂ、７Ｂの間に、図７に示すように平面視コ字状のスペーサ１３を取付けることで、スロワ２を穀粒乾燥機１の機体よりスペーサ１３の幅だけ前方に装着することが可能になる。スペーサ１３の幅はもちろん任意に設定する事が出来る。ピン９の取付位置やボルト８止め位置などは、スロワ取付用フレーム６、７に予め複数設けた穴の位置によって適宜変更する事が出来る。
このように、スロワ取付用フレーム６、７のピン取付位置等を可変にするとともに、スロワ取付用フレーム６、７にスペーサ１３を介在させることで該フレームを延設し、スロワ２を穀粒乾燥機１の機体より前方に設置できるようにした。これによって、スロワ２の取付位置を前後に調節することができ、揚穀エレベータ３の伝動カバー５３よりも延設すると、スロワ２の排出方向などを変更することが可能になる。
【００１０】
次に、穀粒乾燥機１にスロワ２を装着したままでも駆動部のベルト点検、交換を可能とする構成について説明する。
図８はスロワ裏面側の斜視図である。
前述したように、スロワ２は、スロワケース５の両側部に左右のスロワ取付用フレーム６、７を固定し、スロワケース５の下面はモータ１０の取付面としている。モータ１０の駆動は、スロワ裏面側において、プーリ１４、ベルト１６、プーリ１５を介してスロワケース５内に伝達される。１７はテンションローラである。そして、スロワケース５裏面側の伝動カバー１８は概ねスロワケース下面で分割可能な構成としている。伝動カバー１８は、全体が台形状、または矩形の箱型形状を成し、上方が開口している。そして、該伝動カバー１８の一面には駆動軸が納まるように切欠き１９を有し、伝動カバー１８の上方一端側には突起２０を、他端側には係止片２１を設けている。
【００１１】
この伝動カバー１８は、その突起２０をスロワケース５内側のスリット２２に差し込むとともに、その係止片２１をネジ２３止めすることによって装着される。また、この伝動カバー１８を外すときは、下側フレーム６Ｂ側から上記ネジ２３を外し、突起２０を上記スリット２２から引き抜くだけで容易に行える。すなわち、スロワ２を穀粒乾燥機１に装着した状態でも、伝動カバー１８を外すことができるので、アーム５５に設けたロッド５６をスプリング５４に抗して引き、フレーム６Ｂに設けた係止穴５８に該ロッド５６の係止駒５７を係止させることでテンションローラ１７をベルトから離し、次に、手を正面から差し込んでベルトを外し、スロワ２の裏側にある駆動部分のベルトの点検、交換等が穀粒乾燥機１に装着したまま行える。
【００１２】
次に、本発明に関連して、スロワ装着時における穀粒乾燥機の繰出しバルブ制御について説明する。
図９は穀粒乾燥機の制御ブロック図、図１０は繰出しバルブ制御のフローチャートである。
図９に示すように、コントローラ３０に、熱風温度センサ３１、外気温度センサ３２、排風温度センサ３３、満量センサ３４、昇降機モータ３５、バルブモータ３６、排塵機モータ３７、スロワモータ３８、水分計３９、籾流れセンサ４０、イグナイタ４１、電磁バルブ４２、バーナモータ４３、風圧センサ４４等が接続されている。上記バルブモータ３６の駆動制御は型式設定４５によって行う。
【００１３】
図１０に基づいて上記制御フローを説明する。
作業モードが排出時で、スロワが接続されている時の、スロワの排出能力と繰出しバルブの排出能力を判別して比較を行う（ステップ１〜３）。その結果、スロワの排出能力の方が繰出しバルブの排出能力よりも高い場合は、バルブモータは連続駆動とし（ステップ４）、スロワの排出能力の方が繰出しバルブの排出能力よりも低い場合は、バルブモータを間欠駆動とする（ステップ５）。そして、いずれの場合も、籾流れセンサがオンになっていて、本機停止用タイマが所定時間を経過したときは本機モータをオフにして、スロワ停止用タイマを所定時間にセットする（ステップ６〜８）。このスロワ停止のための所定時間が経過したときはスロワモータをオフにする（ステップ９、１０）。
【００１４】
このように、バルブモータの回転数を可変にする手段と、繰出しバルブの排出能力と装着したスロワの排出能力を判別し比較する手段を有する穀粒乾燥機において、スロワの排出能力が低い場合は繰出しバルブによる排出を間欠駆動とする制御を行うことにより、装着スロワの能力に合った排出量とし、スロワの詰まりを防止して作業の円滑化を図り、安価で、排出能力ごとに自在に対応でき、穀粒乾燥機の汎用性が向上する。
【００１５】
【発明の効果】
以上詳細に説明したように、本発明のスロワは、スロワ取付用フレームを上下に２分割可能な構成とすることで、その上側フレームを取っ手に交換し、下側フレームに台座を取付けることにより地面据え置きで使用することができる。
また、本発明のスロワは、スロワ取付用フレームを上下に２分割構成とするとともに、その上側フレームと下側フレームの間にスペーサを介在させて該フレームを延設することで、スロワの取付位置を前後に調節することができる。
また、本発明のスロワは、スロワケース両側部にスロワ取付用フレームを固定し、下面はモータ取付面となし、スロワケースの伝動カバーを概ねスロワケース下面で分割可能な構成としたことで、スロワを穀粒乾燥機に装着したままでもスロワ裏側にある駆動部のベルト点検、交換を容易に行える。
【図面の簡単な説明】
【図１】循環型穀粒乾燥機の一例を示す外観正面図である。
【図２】その外観側面図である。
【図３】装着時のスロワの側面図である。
【図４】地面据え置き使用時のスロワの正面図である。
【図５】その側断面図である。
【図６】装着時のスロワの側面図である。
【図７】スロワ取付用フレームを延設しスロワを前方に取り付けた状態の側面図である。
【図８】スロワ裏側の駆動部の斜視図である。
【図９】穀粒乾燥機の制御ブロック図である。
【図１０】繰出しバルブ制御のフローチャートである。
【符号の説明】
１  穀粒乾燥機
２  スロワ
５  スロワケース
スロワ取付用フレーム
１０  モータ
１１  取っ手
１２  台座
１３  スペーサ
１４、１５  プーリ
１６  ベルト
１８  伝動カバー
３６  バルブモータ
３８  スロワモータ
【図１】
0004250327.tif 000002
【図２】
0004250327.tif 000003
【図３】
0004250327.tif 000004
【図４】
0004250327.tif 000005
【図５】
0004250327.tif 000006
【図６】
0004250327.tif 000007
【図７】
0004250327.tif 000008
【図８】
0004250327.tif 000009
【図９】
0004250327.tif 000010
【図１０】
0004250327.tif 000011